(57)【要約】      （修正有）【課題】一枚物として製造可能なブランクと、このブランクを組み立てることで他の部材を使用せずに形成できる切花梱包体を提供する。【解決手段】切花収容部を構成する前扉、側壁２、後壁３及び端部の側壁４の他に切花支持部９が連結させられ、切花支持部９は、端部の側壁４の一部に連結される垂直片１０と当該垂直片１０から前記端部の側壁４の上端に向かって、順次形成される下段茎部保持板１１、垂直支持板１２及び上段茎部支持板１３からなり、下段茎部支持板１１と上段茎部支持板１３の中央部にはそれぞれ切花の茎部保持孔１４，１５が形成され、さらに底部折畳片及び蓋部折畳片１ｂ，２ｂ，３ｂ，４ｂが形成されてなるブランク及び該ブランクからなる切花梱包体である。【選択図】図２
0003194617.tif 000002
【実用新案登録請求の範囲】
【請求項１】
切花収容部を構成する前扉、側壁、後壁及び端部の側壁と、切花支持部を有し、前記切花支持部は、前記端部の側壁の一部に連結される垂直片と当該垂直片から前記端部の側壁の上端に向かって、順次形成される下段茎部保持板、垂直支持板及び上段茎部支持板からなり、前記下段茎部保持板と前記上段茎部保持板の中央部にはそれぞれ切花の茎部保持孔が形成され、前記側壁、前記後壁、前記端部の側壁及び前記切花支持部の下端にはそれぞれ底部折畳片が形成され、前記扉壁、側壁、後壁及び端部の側壁の上端にはそれぞれ蓋部折畳片が形成されていることを特徴とするブランク。
【請求項２】
前記下段茎部保持板と前記上段茎部保持板の中央にそれぞれ形成された切花の茎部保持孔に放射状の切り込みを形成したことを特徴とする請求項１に記載のブランク。
【請求項３】
前記側壁、端部の側壁、あるいは後壁に前記上段茎部保持板を水平に支持する切り越し片を設けたことを特徴とする請求項１又は２に記載のブランク。
【請求項４】
請求項１、２又は３に記載のブランクを組み立てることで完成する切花梱包体であって、コ字状に形成された前記側壁、後壁及び端部の側壁の内部に前記切花支持部を構成する下段茎部支持板及び上段茎部支持板が二段に配置されることを特徴とする切花梱包体。
【考案の詳細な説明】
【技術分野】
【０００１】
本考案は、ブランク及び切花梱包体に関するものである。
【背景技術】
【０００２】
従来、切花を輸送する際の梱包体として、保水容器を準備し、保水容器の袋内に水を入れ、保水容器を個装箱の底部に挿入し、切花の茎を４枚の鍔板の先端縁に囲まれた開口部から保水容器に挿入して、茎の下部を袋内の水に浸け、切花を個装箱に収納するようにした切花の個別梱包体が提案されている（特開２００４−３３８７６７号公報）。  
【０００３】
その他、ダンボール製の外箱と、水を入れるプラスチック製の袋と、枠板が脚板で支持される耐水段ボール製の枠体とからなり、前記袋に枠体を挿入し、枠板の差入穴に切り花の茎を束ねて挿通し、茎の下端を袋の水の浸けた吸水ブロックに差し込み、袋の口部を絞り、袋を外箱の底部に挿入して、切り花の束を外箱に収納するようにした切花の梱包体が提案されている（特開２００４−２４４０９０号公報）。  
【０００４】
前記考案は、いずれも水漏れを簡単に防止でき、使用後の処分も容易であるとしている。
【先行技術文献】
【特許文献】
【０００５】
【特許文献１】特開２００４−３３８７６７号公報
【特許文献２】特開２００４−２４４０９０号公報
【考案の概要】
【考案が解決しようとする課題】
【０００６】
前記特許文献１の発明は、個装箱のほかに保水容器を必要とし、そのために個装箱のブランク、保水容器のブランク及び保水容器の上下のトレーのブランクを必要とする。また、前記特許文献２の発明は外箱のほかに耐水段ボール製の枠体を必要としている。すなわち、いずれの発明も外箱のほかにいくつかの部材を準備及び使用する必要があった。  
【０００７】
本考案は一枚のブランク及び該ブランクで構成される切花梱包体である。したがって、製造も容易であり、切花梱包体に形成する際にも他の部材を必要とせず、取り扱いが容易である。さらに経済的でもある。  
【０００８】
ここで、ブランクとは段ボール箱を接合する前までの加工が終わった平板状の段ボールをいい、けい線（折曲部）に沿って折り曲げ，組み立てると箱になる。  
【０００９】
さらに切花の茎部が上下二箇所で揺動しないように保持されるため、運搬、持ち運びなどの際に傾斜させられたり、横置きにされた場合にも切花が梱包体の内部に接触して損傷することが防止される。また、水を使用した場合にも漏れの心配のない切花梱包体を提供することを目的とする。
【課題を解決するための手段】
【００１０】
本考案のブランクは、切花収容部を構成する前扉、側壁、後壁及び端部の側壁と、切花支持部を有し、前記切花支持部は前記端部の側壁の一部に連結される垂直片と当該垂直片から前記端部の側壁の上端に向かって、順次形成される下段茎部保持板、垂直支持板及び上段茎部支持板からなり、前記下段茎部保持板と前記上段茎部保持板の中央部にはそれぞれ切花の茎部保持孔が形成され、前記側壁、後壁、端部の側壁及び切花支持部の下端にはそれぞれ底部折畳片が形成され、前記扉壁、側壁、後壁及び端部の側壁の上端にはそれぞれ蓋部折畳片が形成されていることを特徴とする（請求項１）。  
【００１１】
前記構成のブランクは、打ち抜きで一枚物（一体物）として製造可能であり、梱包体に形成する場合にも他の部材を必要とせず、取り扱いが容易である。さらに経済的でもある。  
【００１２】
好ましい一実施例として、前記下部茎部保持板と前記上部茎部保持板の中央部に形成された切花の茎部保持孔の周囲にそれぞれ放射状の切込みを形成したことを特徴とする（請求項２）。  
【００１３】
前記構成により、切花の茎部を保持する際に茎部の径に合わせて茎部保持孔の径を調整することができ、茎部に傷をつけることなく該茎部を保持することができる。  
【００１４】
好ましい一実施例として、前記側壁、端部の側壁、さらに後壁に前記上段茎部保持板を支持する切り越し片を設けたことを特徴とする(請求項３)。  
【００１５】
前記構成により、梱包体に組み立てた時及び切花の茎部を保持した時にも上段茎部保持板が前記切り越し片によって定位置に保持される。したがって、前記上段茎部保持板の取り扱いが容易である。  
【００１６】
本考案の切花梱包体は、請求項１、２又は３に記載のブランクを組み立てることで完成する切花梱包体であって、コ字状に形成された前記側壁、前記後壁及び前記端部の側壁の内部に前記切花支持部を構成する下段茎部支持板及び上段茎部支持板が二段に配置されることを特徴とする(請求項４)。  
【００１７】
前記構成により、後に述べる使用例のように、運搬、持ち運びなどの際に傾斜させられたり、横置きにされた場合にも切花が梱包体の内部に接触して損傷することが防止され、また、水を使用した場合にその漏れを防止することができる。
【考案の効果】
【００１８】
本考案によれば、ブランクは一枚物（一体物）として容易に製造でき、切花梱包体に形成する際にも他の部材を必要とせず、取り扱いが容易である。さらに経済的でもある。  
【００１９】
さらに切花の茎部が上下二箇所で揺動しないように保持されるため、運搬、持ち運びなどの際に傾斜させられたり、横置きにされた場合にも切花が梱包体の内部に接触して損傷することが防止される。また、水を使用した場合にも漏れの心配のない効果を得ることができる。
【図面の簡単な説明】
【００２０】
【図１】本考案に係るブランクの展開図である。
【図２】本考案に係る切花梱包体の組み立て過程を示す斜視図である。
【図３】本考案に係る切花梱包体の組み立て過程を示す斜視図である。
【図４】切花保持部を示す一部切り欠き斜視図である。
【考案を実施するための形態】
【００２１】
まず、本考案の実施の形態に係るブランクについて具体的に説明する。  
【００２２】
図１は本考案のブランクの展開図である。図中、１は扉壁、２は側壁、３は後壁、４は端部の側壁である。前記それぞれの壁は連結されてその間に折曲部５、６、７を有し角筒状の切花収容部を形成する。  
【００２３】
本考案では、前記端部の側壁４の一部である折曲部８を介して切花支持部９が前記端部の側壁４に連結される。該切花支持部９は、前記端部の側壁４に連結する垂直片１０と当該垂直片１０から前記端部の側壁４の上端に向かって、順次形成された下部茎部保持板１１、垂直支持板１２及び上部茎部保持板１３からなる。前記垂直片１０、前記下部茎部保持板１１、前記垂直支持板１２及び前記上部茎部保持板１３はそれぞれ折曲部１０a、１１a及び１２aを介して連結される。  
【００２４】
さらに、前記下部茎部保持板１１及び上部茎部保持板１３の中央にはそれぞれ切花の茎部保持孔１４及び１５が形成される。また、該切花の茎部保持孔１４及び１５の周囲にはそれぞれ放射状に複数の切り込み１６が形成される。この切り込み１６により切花の茎部を保持する際にも茎部の径に合わせて茎部保持孔の径を調整することができ、茎部を傷つけることなく保持することができる。  
【００２５】
さらに、前記側壁２、後壁３、端部の側壁４及び切花支持部９の下端には、それぞれに底部折畳片２ａ、３ａ、４ａ及び９ａが形成される。また、前記扉壁１、側壁２、後壁３及び端部の側壁４の上端には、それぞれに蓋部折畳片１ｂ、２ｂ、３ｂ及び４ｂが形成される。  
【００２６】
図中、１７は、梱包体とした場合に、前記上部茎部保持板１３を水平支持する切り越し片である。切り越し片１７は、各壁１、２、３、４の一部を切って形成される。具体的には、切り越し片１７の上下辺１７aをカットすることで形成する。一部の切り越し片１７については、上下辺１７aに加えてさらに切り越し片１７の縦辺の一方をカットする。形成された切り越し片１７をそれぞれの壁の内側に押し込み突出させて前記上部茎部保持板１３を載置し支持する。この切り越し片１７により梱包体に組み立てた時及び切花の茎部を保持した時にも上段茎部保持板が定位置に保持される。したがって、前記上段茎部保持板の取り扱いが容易である。  
【００２７】
また、図中１８は前記垂直支持板１２の一部をカットし、前記下段茎部保持板１１に対して折り曲げ自在とした支持片であり、前記底部折畳片に接触することにより前記下段茎部保持板１１を支持する。  
【００２８】
また、１９は、扉壁１に設けられた止め片であり、扉壁１を閉めた際に端部の側壁４に形成されたスリット２０に嵌め込まれる。また、２１は、蓋部１ｂに設けられた止め片であり、蓋部を閉めた際に側壁３の上部に形成されたスリット２２に嵌め込まれる。  
【００２９】
また、２３は、切花の茎部保持孔１５から設けられたスリットであり、切花の茎部を茎部保持孔１５に挿通させる時など該茎部保持孔１５を開口する場合に使用される。また、２４は、折曲片１０に設けられた接着片であり、梱包体とする場合に側壁２の内側面に接着される。２５は、それぞれ打ち抜き孔である。  
【００３０】
前記本考案のブランクは前記折曲線５、６、７及び折曲部８で折り畳み、さらに積み重ねて保管及び運搬できる。  
【００３１】
つぎに、切花梱包体の形成について説明する。  
【００３２】
図２及び図３に示すように、扉壁１、側壁２、後壁３及び端部の側壁４がコ字状に折り曲げられる。同時に底部折畳片２a、３a、４a及び９aが折り畳まれる。該底部折畳片２ａ、３ａ、４ａの及び９ａの折り畳み方法は公知の手段でよい。  
【００３３】
ただ、底部折畳片２aと３aとを直角の角度を保って接着し、底部折畳片４aと９aとを直角の角度を保って接着し、筒状に広げたときに両方の接着体を噛み合わせて底部が形成されるように構成することが好ましい。  
【００３４】
前記構成とすることにより、底張り完了後であっても、前記両方の噛み合いを解除することにより、全体を平らに折り畳むことができ、保管及び運搬が容易である。  
【００３５】
つぎに、前記側壁２、後壁３及び端部の側壁４を筒状に形成し、前記垂直片１０に設けられた接着片２４を前記側壁２の内側に接着して筒体が形成される。  
【００３６】
つぎに、形成された筒体の内部に切花支持部９が格納される。まず、開口部側に位置した前記垂直片１０に対して下部茎部保持板１１が折曲部１０ａにより筒体内部に水平に折り曲げられ、該下部茎部支持板１１の垂直支持板１２側が前記支持片１８によって支持される。  
【００３７】
同時に、垂直支持板１２が折曲部１１ａにより後壁３に沿って起立させられ、つぎに、上部茎部保持板１３が折曲部１２ａにより底部に水平に折り曲げられ、前記切り越し片１７に載置して支持される。  
【００３８】
図４は、切花Ｆの梱包状態を示す。図面実施例では、茎部の下端に水を充填した樹脂シートからなる袋２６を設け、該袋２６の口部を前記下部茎部保持板１１と上部茎部保持板１３との間で紐１７により結束している。切花の茎部が上段茎部保持板１３の茎部保持孔１５、下段茎部保持板１１の茎部保持孔１４の上下二箇所で揺動しないように保持されるため、運搬、持ち運びなどの際に傾斜させられたり、横置きにされ
た場合にも切花が梱包体の内部に接触して損傷することが防止される。また、水を使用した場合にも漏れの心配のない効果を得ることができる。  
【００３９】
前記切花の梱包方法は、例えば、予め切花Ｆの茎部の下部に前記水を充填した袋２６を取り付けた後、該袋２６部を上段茎部保持板１３の茎部保持孔１５、下段茎部保持板１１の茎部保持孔１４を通して行なうことができる。  
【００４０】
なお、前記袋２６に充填する水の量は、切花梱包体を横置きにした場合にも袋２６部が変形して該袋２６部が前記底部と前記下段茎部保持板１１との間に収まり続ける量であり、したがって、下段茎部保持板１１の上部に水が到達することはなく水漏れの心配はない、ものである。
【符号の説明】
【００４１】
１    扉壁２    側壁３    後壁４    端部の側壁８    連結部９    切花支持部１０  折曲部１１  下部茎部保持板１２  垂直支持板１３  上部茎部保持板１４、１５  茎部保持孔１６  切込み１７  切り越し片
【図１】
0003194617.tif 000003
【図２】
0003194617.tif 000004
【図３】
0003194617.tif 000005
【図４】
0003194617.tif 000006